(57)【要約】【課題】本発明は、受信信号を処理する従来の技術における比較的低速な非効率なデジタル信号処理についての不都合と問題点を減少させる、又は取り除くことを目的とする。【解決手段】受信信号の処理にアナログ形式を有する信号を受信することが含まれる。信号はサンプリングされ、アナログ形式を有するサンプリングされた信号を生成する。各サンプリングされた信号について以下のことが繰り返される。サンプリングされた信号からフィードバック信号が生成され、デジタル形式からアナログ形式に変換される。サンプリングされた信号から生成されたフィードバック信号に従って、サンプリングされた信号に関連する相関が判断される。受信信号を処理するために、サンプリングされた信号に関連する相関に従って、アナログ形式を有するサンプリングされた信号が調整される。【選択図】図１
2004242327.tif 000002
【特許請求の範囲】
【請求項１】
受信信号を処理する方法であって、
アナログ形式を有する信号を受信するステップと、
１つ以上のサンプリング時において前記信号をサンプリングし、アナログ形式を有する１つ以上のサンプリングされた信号を生成するステップと、
前記１つ以上のサンプリングされた信号のそれぞれについて、
前記サンプリングされた信号からデジタル形式を有するフィードバック信号を生成することと、
前記フィードバック信号をデジタル形式からアナログ形式に変換することと、
前記１つ以上のサンプリングされた信号から生成された１つ以上のフィードバック信号に従って、前記サンプリングされた信号に関連する相関を判断することと、
前記受信信号を処理するために、前記サンプリングされた信号に関連する相関に従って、アナログ形式を有する前記サンプリングされた信号を調整することと
を繰り返すステップと
を有する方法。
【請求項２】
請求項１に記載の方法であって、
前記１つ以上のサンプリングされた信号のそれぞれについて、
アナログ形式を有する前記フィードバック信号を用いて、前記サンプリングされた信号に関連する誤差を判断することと、
前記誤差に従って、アナログ形式を有する前記サンプリングされた信号を調整することと
を繰り返すステップを更に有する方法。
【請求項３】
請求項１に記載の方法であって、
前記１つ以上のサンプリングされた信号のそれぞれについて、
前記サンプリングされた信号をサブサンプリングすることと、
前記サブサンプリングされた信号を用いて、前記サンプリングされた信号に関連する誤差を判断することと
を繰り返すステップを更に有する方法。
【請求項４】
請求項１に記載の方法であって、
前記サンプリングされた信号に関連する相関を判断することが、
複数のフィルタ係数に従って、アナログ形式を有する前記１つ以上のフィードバック信号を調整し、各フィルタ係数は複数のフィルタ係数のうちの１つに関連し、
前記調整された１つ以上のフィードバック信号に従って、前記サンプリングされた信号に関連する相関を判断することからなる方法。
【請求項５】
請求項１に記載の方法であって、
アナログ形式を有する前記サンプリングされた信号を調整することが、
アナログ形式を有する前記サンプリングされた信号から前記サンプリングされた信号に関連する相関を差し引くことからなる方法。
【請求項６】
受信信号を処理する受信機であって、
アナログ形式を有する信号を受信可能な入力と、
１つ以上のサンプリング時において前記信号をサンプリングし、アナログ形式を有する１つ以上のサンプリングされた信号を生成することが可能な１つ以上のサンプリングスイッチと、
１つ以上の検出回路であって、各検出回路が、前記１つ以上のサンプリングされた信号の１つについて、
前記サンプリングされた信号からデジタル形式を有するフィードバック信号を生成することと、
前記フィードバック信号をデジタル形式からアナログ形式に変換することと、
前記１つ以上のサンプリングされた信号から生成された１つ以上のフィードバック信号に従って、前記サンプリングされた信号に関連する相関を判断することと、
前記受信信号を処理するために、前記サンプリングされた信号に関連する相関に従って、アナログ形式を有する前記サンプリングされた信号を調整することと
を繰り返すことが可能な１つ以上の検出回路と、
を有する受信機。
【請求項７】
請求項６に記載の受信機であって、
各検出回路が、前記１つ以上のサンプリングされた信号の１つについて、
アナログ形式を有する前記フィードバック信号を用いて、前記サンプリングされた信号に関連する誤差を判断することと、
前記誤差に従って、アナログ形式を有する前記サンプリングされた信号を調整することと
を繰り返すことが更に可能な受信機。
【請求項８】
請求項６に記載の受信機であって、
各検出回路が、前記１つ以上のサンプリングされた信号の１つについて、
前記サンプリングされた信号をサブサンプリングすることと、
前記サブサンプリングされた信号を用いて、前記サンプリングされた信号に関連する誤差を判断することと
を繰り返すことが更に可能な受信機。
【請求項９】
請求項６に記載の受信機であって、
複数のフィルタ係数に従って、アナログ形式を有する前記１つ以上のフィードバック信号を調整し、各フィルタ係数は複数のフィルタ係数のうちの１つに関連し、
前記調整された１つ以上のフィードバック信号に従って、前記サンプリングされた信号に関連する相関を判断することにより、
前記検出回路が前記サンプリングされた信号に関連する相関を判断可能な受信機。
【請求項１０】
受信信号を処理するシステムであって、
アナログ形式を有する信号を受信する手段と、
１つ以上のサンプリング時において前記信号をサンプリングし、アナログ形式を有する１つ以上のサンプリングされた信号を生成する手段と、
前記サンプリングされた信号のそれぞれについて、
前記サンプリングされた信号からデジタル形式を有するフィードバック信号を生成することと、
前記フィードバック信号をデジタル形式からアナログ形式に変換することと、
前記１つ以上のサンプリングされた信号から生成された１つ以上のフィードバック信号に従って、前記サンプリングされた信号に関連する相関を判断することと、
前記受信信号を処理するために、前記サンプリングされた信号に関連する相関に従って、アナログ形式を有する前記サンプリングされた信号を調整することと
を繰り返す手段と
を有するシステム。
【発明の詳細な説明】
【技術分野】
【０００１】
本発明は、概してデータ通信の分野に関し、特に検出回路で受信信号を処理することに関するものである。
【背景技術】
【０００２】
受信機で受信された信号は、一般的に受信信号の相関を補正する処理が行われる。一例として、周波数依存のチャネル損失による符号間の干渉を補正するために、適応等化が実行される。適応等化の周知の技術は、デジタルの磁気／光学記録と、モデムや無線通信のような低速デジタル通信の分野で用いられてきた。しかし、その技術は比較的低速な非効率なデジタル信号処理を用いる。それ故に、受信信号を処理する周知の技術は、特定の状況には不十分である。
【発明の開示】
【発明が解決しようとする課題】
【０００３】
本発明は、受信信号を処理する従来の技術における比較的低速な非効率なデジタル信号処理についての不都合と問題点を減少させる、又は取り除くことを目的とする。
【課題を解決するための手段】
【０００４】
本発明の一実施例によると、受信信号の処理にアナログ形式を有する信号を受信することが含まれる。信号がサンプリングされ、アナログ形式を有するサンプリングされた信号を生成する。以下のことがサンプリングされた信号毎に繰り返される。フィードバック信号がサンプリングされた信号から生成され、デジタル形式からアナログ形式へ変換される。サンプリングされた信号とフィードバック信号との相関が、サンプリングされた信号から生成されたフィードバック信号に従って判断される。受信信号を処理するために、アナログ形式を有するサンプリングされた信号がサンプリングされた信号に関連する相関に従って調整される。
【０００５】
本発明の特定の実施例は１つ以上の技術的利点を提供し得る。一実施例における技術的な利点とは、受信機がより効率的な信号処理を提供し得るアナログ信号処理を用いて相関を補正することである。受信機は受信信号でアナログ処理を実行し、評価された相関を生成する。評価された相関が受信信号から差し引かれ、相関を補正する。
【０００６】
本発明の特定の実施例は、前述の技術的利点のいくつか、又は全てを含む場合があり、全く含まない場合がある。ここに含まれる図面と説明と特許請求の範囲から、１つ以上の技術的利点がその技術に熟練した人に容易に明白になるだろう。
【発明の効果】
【０００７】
本発明に基づいて、受信信号を処理する従来の技術に関する不都合と問題点を減少させる、又は取り除くことができる。
【発明を実施するための最良の形態】
【０００８】
本発明の実施例とその利点が、図１から４を参照して理解される。同様の数字は各種の図面の同様の部分及び対応する部分に用いられる。
【０００９】
図１は受信信号を処理する受信機を含むネットワーク１０の一実施例を示したブロック図である。受信機はアナログ処理を用いて、相関を評価し、誤差を測定する。評価された相関と測定された誤差は信号を調整するために用いられ、ゆがみの影響を補正する。
【００１０】
ネットワーク１０には、図１に示すように結合したネットワークエレメント１１ａ−ｂとチャネル１４が含まれる。ネットワークエレメント１１は、サーバ、ルータ、コンピュータシステム、又はその何らかの組み合わせのように、データの送受信を行う要素を有し得る。チャネル１４は、約２０〜４０メートルのように１０〜１００メートルの範囲の長さを有するケーブルを備え得る。チャネル１４を伝送する信号の速度は、約３ギガビット／秒のように数ギガビット／秒の範囲である場合がある。一例として、チャネル１４は、１０  Ｇｉｇａｂｉｔ  Ａｔｔａｃｈｍｅｎｔ  Ｕｎｉｔ  Ｉｎｔｅｒｆａｃｅ（ＸＡＵＩ）規格に従って動作する場合がある。ＸＡＵＩは３．１２５ギガビットの固定周波数を必要とし、１０ギガビット・イーサーネットに用いられる。
【００１１】
高速で伝送する信号は、チャネル１４の拡散インパルス応答から生じるゆがみの影響を受けやすい。受信信号は、表皮効果と誘電損失のような周波数依存のゆがみから影響を受ける場合がある。周波数依存のゆがみは、符号間干渉（ＩＳＩ）のような干渉を招く場合がある。数ギガビット速度の通信は、符号間干渉を克服するために、一般的に約２０〜４０ｄＢ以上の高度の等化を必要とする。周知の技術においては、ゆがみを補正するためにデジタル信号処理を用いていた。しかし、デジタル信号処理は一般的に遅く、非効率である。
【００１２】
ネットワークエレメント１１ａには送信機１２が含まれ、ネットワークエレメント１１ｂには受信機１３が含まれる。送信機１２はチャネル１４を介して受信機１３に信号を送信する。アナログ・デジタル変換器（ＡＤＣ）１８が補正済みの信号をアナログ形式からデジタル形式に変換する。受信機１３の判定帰還型フィルタ１５が符号間干渉を補正するために用いられ得る。符号間干渉の補正は、判定帰還型等化又は部分応答等化のいずれかによって実行され得る。
【００１３】
判定帰還型等化において、判定帰還型フィルタ１５が干渉を評価し、評価された干渉が受信信号から差し引かれる。期待される干渉が以前の符号から符号間干渉（ＩＳＩ）を推定する。一実施例によると、判定帰還型フィルタ１５によって補正されない前兆の干渉を補正するためにフィルタ１７が使用され得る。前兆の干渉は以後の信号からの干渉を有し得る。
【００１４】
部分応答等化において、判定帰還型フィルタ１５はフィルタ１７とともに用いられる。フィルタ１７は送信機１２においてフィルタ１７ａとして、受信機１３においてフィルタ１７ｂとして、又はその双方として実現され得る。フィルタ１７はチャネル１４によって生じたゆがみを部分的に補正し、チャネル１４とフィルタ１７の全体的な特徴を作り、部分応答システムをフィルタリングする。フィルタ１７ｂの出力には符号間の特定の制御された相関が含まれる。判定帰還型フィルタ１５は、フィードバック信号から制御された相関を評価し、判定帰還型等化と同様の方法で評価された相関が受信信号から差し引かれる。
【００１５】
誤差監視装置１６はアナログ信号処理を実行し、受信信号のアナログ及びデジタル信号から誤差を測定する。フィルタパラメータが不完全であるため、測定された誤差は振幅誤差と残余の相関又は干渉を有する。測定された誤差は、判定帰還型フィルタ１５、フィルタ１７ａ及び１７ｂ、又はその何らかの組み合わせのいくつか又は全てを調整するために用いられ得る。
【００１６】
判定帰還型等化と部分応答等化との主な違いは、判定帰還型フィルタ１５によって処理される相関が制御されるか否かである。部分応答等化の場合、相関が制御され、判定帰還型フィルタ１５のパラメータが制御された相関を補正するために固定され得る。判定帰還型等化の場合、相関は制御されない。相関は主にチャネル１４によって生じた干渉を有し得るため、判定帰還型フィルタのパラメータはチャネル１４の特性に従って調整され得る。
【００１７】
判定帰還型フィルタ１５とフィルタ１７ａ及び１７ｂのいくつかの又は全てのパラメータは、固定される場合があり、ユーザ・プログラム可能である場合があり、又は誤差監視装置１６によって測定される誤差を用いて自動的に適応可能である場合がある。判定帰還型フィルタ１５とフィルタ１７ａ及び１７ｂの間のフィルタの特性の構成は、前述の判定帰還型等化と部分応答等化に限定されるものではなく、本発明の範囲を逸脱することなく変更され得る。
【００１８】
以下の説明において、判定帰還型等化又は部分応答等化のようなフィルタの特性の構成は、記載されない限り区別されない。判定帰還型フィルタ１５は、受信信号における相関を補正するものである。相関は判定帰還型等化の符号間干渉、又は部分応答等化の制御された相関を指す場合がある。
【００１９】
誤差監視装置１６はサブサンプリングを実行し、受信機１３のサンプリング速度より遅い速度で誤差を計算する。このことにより、誤差の計算速度によって限定されずに、リンク速度をより効率良くすることができる。チャネル１４は一般的には時間については変化しないため、誤差に影響を与える要因もまた、比較的一定である。従って、サブサンプリングされた信号から誤差を判断することにより、誤差の適切な測定を可能にし得る。
【００２０】
判定帰還型フィルタと誤差監視装置を有する検出器の例について、図２を参照して説明する。複数の検出回路を有する検出器の例については、図３を参照して説明する。受信信号を処理する方法については、図４を参照して説明する。
【００２１】
図２は、信号を処理する検出回路２１を有する検出器の一実施例のブロック図である。概して、チャネル１４を介してデータ列ａｋが受信機の検出器２０に送信される。検出回路２１がサンプリングされた信号
【００２２】
【数１】
2004242327.tif 000003
を処理して、回復データ列
【００２３】
【数２】
2004242327.tif 000004
を生成する。検出回路２１には、判定帰還型フィルタ２６と誤差監視装置２７が含まれる。判定帰還型フィルタ２６は、回復データ列
【００２４】
【数３】
2004242327.tif 000005
でアナログ処理を実行し、評価された相関を判断し、評価された相関をサンプリングされた信号
【００２５】
【数４】
2004242327.tif 000006
から差し引き、相関を補正する。誤差監視装置２７はアナログ処理を実行して誤差ｅｋを測定し、それはフィルタのパラメータを調整し、信号を調整するために用いられ得る。
【００２６】
図示された実施例によると、データ列ａｋがチャネル１４を通して検出器２０に送信される。チャネル１４は、例えば約２０〜４０メートルの長さを有するケーブルからなる場合がある。検出器２０には、アナログ領域２２とデジタル領域２４が含まれる。アナログ領域２２はアナログ処理を実行し、デジタル領域２４はデジタル処理を実行する。図２に示す通り、検出器２０の検出回路２１には、入力２３と、サンプリングスイッチ３２と、加算ノード２８と、判定帰還型フィルタ２６につながるアナログ・デジタル変換器（ＡＤＣ）３４と、誤差監視装置２７が含まれる。
【００２７】
サンプリングスイッチ３２は、受信信号をサンプリングし、サンプリングされた信号
【００２８】
【数５】
2004242327.tif 000007
を生成する。サンプリング時ｔ＝ｋＴにおいて、信号がサンプリングされ得る。なお、Ｔはサンプリング周期を表す。加算ノード２８は、判定帰還型フィルタ２６によって生成された評価された相関をサンプリングされた信号
【００２９】
【数６】
2004242327.tif 000008
から差し引き、評価されたデータ列
【００３０】
【数７】
2004242327.tif 000009
を生成する。評価されたデータ列
【００３１】
【数８】
2004242327.tif 000010
は、相関を補正するために調整された受信信号を表す。アナログ・デジタル変換器（ＡＤＣ）３４は、評価されたデータ列
【００３２】
【数９】
2004242327.tif 000011
を処理し、評価されたデータ列
【００３３】
【数１０】
2004242327.tif 000012
をアナログ形式からデジタル形式に変換することにより回復データ列
【００３４】
【数１１】
2004242327.tif 000013
を生成し、評価されたデータ列
【００３５】
【数１２】
2004242327.tif 000014
からノイズを取り除き、スライシング処理を行い、評価されたデータ列
【００３６】
【数１３】
2004242327.tif 000015
の値を量子化する。
【００３７】
判定帰還型フィルタ２６は回復データ列
【００３８】
【数１４】
2004242327.tif 000016
を有するフィードバック信号でアナログ処理を実行し、評価された相関を判断する。判定帰還型フィルタ２６には、図２に示す通りに結合した遅延装置３６と、デジタル・アナログ変換器（ＤＡＣ）４０と、係数回路４２と、加算ノード４４が含まれる。遅延装置３６ａは回復データ列
【００３９】
【数１５】
2004242327.tif 000017
を受信し、回復データ列
【００４０】
【数１６】
2004242327.tif 000018
で遅延処理を実行する。遅延装置３６ｂ−ｃも、回復データ列
【００４１】
【数１７】
2004242327.tif 000019
でその後の遅延処理を実行する。
【００４２】
デジタル・アナログ変換器（ＤＡＣ）４０は、遅延信号をデジタル形式からアナログ形式に変換する。係数回路４２は、フィルタ係数Ｃ１とＣ２とＣ３に従って変換された信号を調整する。フィルタ係数Ｃ１とＣ２とＣ３は固定されていてもよく、プログラム可能でもよく、又は適応可能でもよい。判定帰還型フィルタ２６は、３つのフィルタ係数を有するものとして示されているが、判定帰還型フィルタ２６は、何らかの適切な数のフィルタフィードバック係数を有する場合があり、それは固定されていてもプログラム可能であってもよい。加算ノード４４は、調整された信号を加算し、評価された相関を生成する。その評価された相関がサンプリングされた信号
【００４３】
【数１８】
2004242327.tif 000020
から差し引かれ、相関を補正し、評価されたデータ列
【００４４】
【数１９】
2004242327.tif 000021
を生成する。
【００４５】
誤差監視装置２７は、アナログの評価されたデータ列
【００４６】
【数２０】
2004242327.tif 000022
からとデジタルの回復データ列
【００４７】
【数２１】
2004242327.tif 000023
からの誤差を判断する。誤差監視装置２７には、図２に示す通りに結合したデジタル・アナログ変換器（ＤＡＣ）５０と、係数回路５２と、加算ノード３０が含まれる。デジタル・アナログ変換器５０は回復データ列
【００４８】
【数２２】
2004242327.tif 000024
をデジタル形式からアナログ形式に変換する。係数回路５２はフィルタ係数Ｃ０に従って変換された信号を調整し、期待されるデータ列を生成する。フィルタ係数Ｃ０は固定されていてもよく、プログラム可能でもよく、又は適応可能でもよい。加算ノード３０は、係数回路５２が生成する期待されるデータ列から評価されたデータ列
【００４９】
【数２３】
2004242327.tif 000025
を差し引き、誤差ｅｋを生成する。すなわち、誤差ｅｋは評価されたデータ列と期待されるデータ列との差を表す。
【００５０】
本発明の範囲を逸脱することなく、構成要素が変更され、追加され、又は除外され得る。例えば、サンプリング速度より遅いサブサンプリング速度で誤差を計算するために、誤差監視装置２７には、サンプリングされた信号をサブサンプリングするサブサンプリングスイッチが含まれる場合がある。更に、ソフトウェアや、ハードウェアや、他のロジックや、その何らかの適切な組み合わせを用いて機能が実行され得る。
【００５１】
図３は、受信信号を処理する複数の検出回路７０ａ−ｄを有する検出器６０の一実施例のブロック図である。検出回路７０ａ−ｄは、実質的に類似であり、図３に示す通りに結合している。図３を簡単にするために、検出回路７０ｂ−ｃは省略して示されている。各検出回路７０は、アナログ領域７２とデジタル領域７４を有し、それぞれアナログ処理とデジタル処理を実行し、相関を評価して誤差を測定する。本書類で用いられる“各”という用語は、一組のそれぞれの部分、又は一組のサブセットのそれぞれの部分のことを言う。評価された相関と測定された誤差が信号を調整するために用いられ、ゆがみの影響を補正する。
【００５２】
概して、データ列ａｋはチャネル７６を通じて受信機の検出器６０に送信される。検出器６０の各検出回路７０が異なる時間において受信信号をサンプリングし、サンプリングされた信号を生成し、連続的にサンプリングを実行し得る。例えば、第１の検出回路７０ａが受信信号をサンプリングし、その後、第２の検出回路７０ｂが受信信号をサンプリングし、以下同様に続く。各検出回路７０の判定帰還型フィルタ８０は、他の検出回路７０から回復データ列を有するフィードバック信号を受信し、フィードバック信号でアナログ処理を実行し、評価された相関を判断する。評価された相関は、サンプリングされた信号から差し引かれ、相関を補正する。
【００５３】
各検出回路７０は、検出回路７０のサンプリング時に対応する回復データ列を出力する。例えば、検出回路７０ａはサンプリング時ｔ＝４ｋＴにおいて回復データ列
【００５４】
【数２４】
2004242327.tif 000026
を生成し、検出回路７０ｂはサンプリング時ｔ＝（４ｋ＋１）Ｔにおいて回復データ列
【００５５】
【数２５】
2004242327.tif 000027
を生成する。検出回路７０ａ−ｄによって生成された回復データ列
【００５６】
【数２６】
2004242327.tif 000028
（ｉ＝０，１，２，３）から、結合した回復データ列
【００５７】
【数２７】
2004242327.tif 000029
が生成され得る。
【００５８】
図示された実施例によると、データ列ａｋはチャネル７６を通じて検出回路７０ａ−ｄに送信される。チャネル７６は、例えば２０〜４０メートルの長さを有するケーブルからなる場合がある。検出回路７０には、判定帰還型フィルタ８０と誤差監視装置１０２が含まれる。判定帰還型フィルタ８０は他の検出回路７０から受信された回復データ列でアナログ処理を実行し、評価された相関を計算する。検出器６０は４つの検出回路７０ａ−ｄを有するものとして示されているが、検出器は何らかの適切な数の検出回路７０を有する場合がある。検出回路７０の数が２の累乗である場合、検出回路７０にクロック信号が容易に供給され得る。
【００５９】
図３に示す通り、検出回路７０には、入力６１と、入力サンプリングスイッチ８１と、加算ノード８２と、サンプリングスイッチ８４と、センス増幅器（Ｓ／Ａ）８６と、判定帰還型フィルタ８０に結合したラッチ８８と、誤差監視装置１０２が含まれ得る。検出回路７０ａ−ｄの入力サンプリング回路８１は、異なるサンプリング時において受信信号をサンプリングする。図示の例において、検出回路７０ａがサンプリング時ｔ＝４ｋＴにおいてサンプリングを行い、サンプリングされた信号
【００６０】
【数２８】
2004242327.tif 000030
を生成する。また、検出回路７０ｂがサンプリング時ｔ＝（４ｋ＋１）Ｔにおいてサンプリングを行い、サンプリングされた信号
【００６１】
【数２９】
2004242327.tif 000031
を生成し、検出回路７０ｃがサンプリング時ｔ＝（４ｋ＋２）Ｔにおいてサンプリングを行い、サンプリングされた信号
【００６２】
【数３０】
2004242327.tif 000032
を生成し、検出回路７０ｄがサンプリング時ｔ＝（４ｋ＋３）Ｔにおいてサンプリングを行い、サンプリングされた信号
【００６３】
【数３１】
2004242327.tif 000033
を生成する。
【００６４】
加算ノード８２は、判定帰還型フィルタ８０が生成した評価された相関を差し引き、評価されたデータ列
【００６５】
【数３２】
2004242327.tif 000034
を生成する。各検出回路７０は、検出回路７０のサンプリング時に対応する評価されたデータ列
【００６６】
【数３３】
2004242327.tif 000035
を生成する。例えば、検出回路７０ａがサンプリング時ｔ＝４ｋＴにおいて評価されたデータ列
【００６７】
【数３４】
2004242327.tif 000036
を生成し、検出回路７０ｂがサンプリング時ｔ＝（４ｋ＋１）Ｔにおいて評価されたデータ列
【００６８】
【数３５】
2004242327.tif 000037
を生成する。
【００６９】
サンプリングスイッチ８４とセンス増幅器（Ｓ／Ａ）８６は、デジタル化を行い、評価されたデータ列
【００７０】
【数３６】
2004242327.tif 000038
からノイズを取り除き、回復データ列
【００７１】
【数３７】
2004242327.tif 000039
を生成する。サンプリングスイッチ８４はセンス増幅器８６にクロックを供給する。サンプリングスイッチ８４は、次の検出回路７０の入力サンプリングスイッチ８１のサンプリング時に対応するサンプリング時において、評価されたデータ列
【００７２】
【数３８】
2004242327.tif 000040
をサンプリングする。例えば、サンプリングスイッチ８４ａと入力サンプリングスイッチ８１ｂは、サンプリング時ｔ＝（４ｋ＋１）Ｔにおいてサンプリングを行い、サンプリングスイッチ８４ｂと入力サンプリングスイッチ８１ｃは、サンプリング時ｔ＝（４ｋ＋２）Ｔにおいてサンプリングを行い、サンプリングスイッチ８４ｃと入力サンプリングスイッチ８１ｄは、サンプリング時ｔ＝（４ｋ＋３）Ｔにおいてサンプリングを行い、サンプリングスイッチ８４ｄと入力サンプリングスイッチ８１ａは、サンプリング時ｔ＝４ｋＴにおいてサンプリングを行う。判定帰還型フィルタ８０ａ−ｄに異なるサンプリング時にサンプリングされた回復データ列を提供するために、サンプリング回路８４ａ−ｄはこのようにサンプリングを行い得る。
【００７３】
センス増幅器８６は、回復データ列
【００７４】
【数３９】
2004242327.tif 000041
を生成するために、評価されたデータ列
【００７５】
【数４０】
2004242327.tif 000042
をアナログ形式からデジタル形式に変換し、評価されたデータ列
【００７６】
【数４１】
2004242327.tif 000043
においてスライシング処理を実行する。センス増幅器８６により、回復データ列
【００７７】
【数４２】
2004242327.tif 000044
を効果的に生成することができる。
【００７８】
関連するセンス増幅器８６が出力を生成すると、ラッチ８８が通過モードになる（スイッチがオンになる）。換言すると、サンプリングの遅延を生じることなくセンス増幅器の出力がラッチ８８に伝達される。次のサンプリングの準備のために関連するセンス増幅器８６がプリチャージされる前に、ラッチ８８は保留モードになる（スイッチがオフになる）。その理由は、センス増幅器８６がプリチャージされるとセンス増幅器の出力が失われるからである。加算ノード８２の出力
【００７９】
【数４３】
2004242327.tif 000045
がスイッチ８４によってサンプリングされ、センス増幅器８６の値がスイッチ９０によってサンプリングされるまで、関連するセンス増幅器８６の出力が続かない場合に、ラッチ８８が必要とされ得る。サンプリングが生じるまで関連するセンス増幅器８６の出力が続く場合には、ラッチ８８は任意である。ラッチ８８はデジタル領域では任意であり、何らかの適切な場所に配置され得る。例えば、ラッチ８８は、デジタル・アナログ変換器９４の後ろにアナログ領域に配置される場合がある。
【００８０】
判定帰還型フィルタ８０は、他の検出回路７０からの回復データ列
【００８１】
【数４４】
2004242327.tif 000046
を有するフィードバック信号を受信する。例えば、検出回路７０ａは検出回路７０ｂ−ｄから回復データ列
【００８２】
【数４５】
2004242327.tif 000047
を受信する。以前の符号との相関がフィードバック信号から判断される。例えば、検出回路７０ａにおいて、検出回路７０ｄからの回復データ列
【００８３】
【数４６】
2004242327.tif 000048
が１周期前からの符号との相関を判断するために用いられ、検出回路７０ｃからの回復データ列
【００８４】
【数４７】
2004242327.tif 000049
が２周期前からの符号との相関を判断するために用いられ、検出回路７０ｂからの回復データ列
【００８５】
【数４８】
2004242327.tif 000050
が３周期前からの符号との相関を判断するために用いられる。
【００８６】
判定帰還型フィルタ８０には、図３に示す通りに結合したサンプリングスイッチ９０と、デジタル・アナログ変換器（ＤＡＣ）９４と、係数回路９６と、加算ノード１００が含まれる。サンプリングスイッチ９０は、フィードバック信号において遅延処理を実行する。デジタル・アナログ変換器９４はフィードバック信号をデジタル形式からアナログ形式に変換する。係数回路９６は、フィルタ係数Ｃ１とＣ２とＣ３に従って変換された信号を調整する。フィルタ係数Ｃ１とＣ２とＣ３は固定されていてもよく、プログラム可能でもよく、又は適応可能でもよい。判定帰還型フィルタ８０は、３つのフィルタ係数を有するものとして示されているが、判定帰還型フィルタ８０は、何らかの適切な数のフィルタフィードバック係数を有する場合があり、それは固定されていてもプログラム可能であってもよい。加算ノード１００は、調整された信号を加算し、評価された相関を生成する。
【００８７】
誤差監視装置１０２は、アナログの評価されたデータ列
【００８８】
【数４９】
2004242327.tif 000051
からとデジタルの評価されたデータ列
【００８９】
【数５０】
2004242327.tif 000052
からの誤差を判断する。誤差監視装置１００には、図３に示す通りに結合したデジタル・アナログ変換器（ＤＡＣ）１０６と、係数回路１０８と、サンプリングスイッチ１１０と、加算ノード１１２が含まれる。サンプリングスイッチ１１０と１０４は、それぞれ評価されたデータ列
【００９０】
【数５１】
2004242327.tif 000053
と回復データ列
【００９１】
【数５２】
2004242327.tif 000054
をサブサンプリングするために用いられ得る。
【００９２】
図示された例において、検出回路７０ａのサンプリングスイッチ１０４と１１０は、サンプリング時ｔ＝（４Ｎｋ＋１）Ｔとｔ＝（４Ｎｋ＋２）Ｔにおいてサンプリングを行う。定数Ｎはサブサンプリング速度を示す。Ｎ個のサンプリングされたデータ毎に誤差が測定される。例えば、Ｎが１の場合は、データ伝送と同じ速度で誤差が測定され、スイッチ１１０と１０４は削除され得る。Ｎが１より大きい場合は、データ伝送より遅い速度で誤差が測定される。サブサンプリング速度で誤差を計算することにより、誤差の計算速度によって限定されずに、リンク速度をより効率良くすることができる。
【００９３】
検出回路７０ｄに示すように、サブサンプリングスイッチ１０４と１１０の位相を調整するために定数Ｍが用いられ得る。定数Ｌは、受信機６０の判定回路の数を表し、例えば図３においてＬは４である。ＮがＬと互いに素であり、Ｍが（Ｌ＊Ｍ＋１）  ｍｏｄ  Ｎ＝０（ｍｏｄは余りを計算する演算子である）であるようにＮとＭが選択されると、誤差のサブサンプリングは複数の検出回路７０の間で等しく間隔が空けられる。例えば、Ｌが４の場合は、Ｎ＝３１とＭ＝２３を用いてサブサンプリングが実現され得る。
【００９４】
デジタル・アナログ変換器１０６は、サブサンプリングされた信号をデジタル形式からアナログ形式に変換する。係数回路１０８はフィルタ係数Ｃ０に従って変換された信号を調整し、期待されるデータ列に対応する信号を生成する。フィルタ係数Ｃ０は固定されていてもよく、プログラム可能でもよく、又は適応可能でもよい。サブサンプリングスイッチ１１０は、評価されたデータ列
【００９５】
【数５３】
2004242327.tif 000055
をサブサンプリングする。誤差を生成するために、加算ノード１１２は、係数モジュール１０８が生成する期待されるデータ列から評価されたデータ列
【００９６】
【数５４】
2004242327.tif 000056
を差し引く。すなわち、誤差は評価されたデータ列
【００９７】
【数５５】
2004242327.tif 000057
とノイズの除去後の期待されるデータ列
【００９８】
【数５６】
2004242327.tif 000058
との差を表す。
【００９９】
本発明の範囲を逸脱することなく、構成要素が変更され、追加され、又は除外され得る。例えば、サンプリングスイッチ８４とセンス増幅器８６とラッチ８８の動作は、アナログ・デジタル変換器で実行され得る。他の例としては、サブサンプリングスイッチ１０４と１１０が除外され、サブサンプリング速度ではなくサンプリング速度で誤差の計算を行うことが可能になる。更に、ソフトウェアや、ハードウェアや、他のロジックや、その何らかの適切な組み合わせを用いて機能が実行され得る。
【０１００】
図４は、受信信号を処理する方法の一実施例を示したフローチャートである。本方法はステップ３００から始まり、そこで検出器６０がチャネル７６を通じて送信された信号を受信する。ステップ３０２において、検出回路７０の入力サンプリングスイッチ８１が特定のサンプリング時に受信信号をサンプリングする。ステップ３０３において、サンプリングされた信号が調整され、相関を補正する。ステップ３０４において、センス増幅器８６がサンプリングされた信号をアナログ形式からデジタル形式に変換し、回復データ列を生成する。
【０１０１】
ステップ３０６において、判定帰還型フィルタ８０が他の検出回路７０から回復データ列を有するフィードバック信号を受信する。ステップ３０８において、デジタル・アナログ変換器９４が回復データ列をデジタル形式からアナログ形式に変換する。信号をアナログ形式に変換することにより、デジタル信号処理よりも効率的なアナログ信号処理を用いて評価された相関が計算され得る。ステップ３１０において、係数回路９６がフィルタ係数に従って信号を調整する。
【０１０２】
ステップ３１２において、加算ノード１００が信号を加算し、評価された相関を表すアナログ信号を生成する。ステップ３１４において、評価された相関をサンプリングされた信号から差し引くことにより、加算ノード８２が受信したサンプリングされた信号を調整し、相関を補正する。ステップ３１６において、センス増幅器８６がサンプリングされた信号をアナログ形式からデジタル形式に変換し、回復データ列を生成する。ステップ３１７において、次の検出回路７０が存在する場合、本方法はステップ３０２に戻り、次の検出回路７０が信号をサンプリングする。検出回路７０は、ステップ３０２から３１６を実行する他の検出回路と実質的に同時にステップ３０２から３１６を実行し得る。ステップ３１７において、次の検出回路７０が存在しない場合は、本方法はステップ３１８に進む。
【０１０３】
ステップ３２０から３３０は検出回路７０においてステップ３０６から３１６と実質的に同時に実行され得る。ステップ３２０において、サブサンプリング速度で誤差が測定される場合、本方法はステップ３２２に進む。ステップ３２２において、サブサンプリングスイッチ１０４と１１０がサンプリングされた信号をサブサンプリングし、本方法はステップ３２４に進む。ステップ３２０において、サブサンプリング速度で誤差が測定されない場合、本方法は直接ステップ３２４に進む。
【０１０４】
ステップ３２４において、デジタル・アナログ変換器１０６が回復データ列をデジタル形式からアナログ形式に変換する。アナログ信号処理を用いて誤差を測定するほうが、デジタル信号処理を用いるよりも効率的である場合がある。ステップ３２６において、係数回路１０８がフィルタ係数に従って変換された信号を調整する。ステップ３２８において、加算ノード１１２がサンプリングされた信号を調整された信号から差し引き、誤差を測定する。ステップ３３０において、誤差に従って信号を調整するためにフィルタ係数とパラメータのいくつか又は全てが調整され得る。ステップ３１８において、結合した回復データ列が回復データ列から生成される。ステップ３３２において、結合した回復データ列が出力される。結合した回復データ列が出力されると、本方法は終了する。
【０１０５】
本発明の範囲を逸脱することなく、ステップが変更され、追加され、又は除外され得る。さらに、本発明の範囲を逸脱することなく、ステップが何らかの適切な順序で実行され得る。例えば、ステップ３１８における結合した回復データ列の生成は、ステップ３１６におけるサンプリングされた信号のアナログ形式からデジタル形式への変換と実質的に同時に実行され得る。
【０１０６】
本発明の特定の実施例は、１つ以上の技術的な利点を備え得る。実施例の技術的な利点は、受信機がアナログ信号処理を用いて相関を補正することにあり、より効率的な信号処理を提供し得る。受信機は受信信号でアナログ処理を実行し、評価された相関を生成する。評価された相関は受信信号から差し引かれ、相関を補正する。
【０１０７】
本発明の実施例とその利点について詳細に説明したが、特許請求の範囲に記載の本発明の範囲と目的を逸脱することなく、その技術に熟練した人は多様な変更と追加と除外を行うことができるだろう。
【０１０８】
前述の記載から、以下のことが教示される。
【０１０９】
（付記１）
受信信号を処理する方法であって、
アナログ形式を有する信号を受信するステップと、
１つ以上のサンプリング時において前記信号をサンプリングし、アナログ形式を有する１つ以上のサンプリングされた信号を生成するステップと、
前記１つ以上のサンプリングされた信号のそれぞれについて、
前記サンプリングされた信号からデジタル形式を有するフィードバック信号を生成することと、
前記フィードバック信号をデジタル形式からアナログ形式に変換することと、
前記１つ以上のサンプリングされた信号から生成された１つ以上のフィードバック信号に従って、前記サンプリングされた信号に関連する相関を判断することと、
前記受信信号を処理するために、前記サンプリングされた信号に関連する相関に従って、アナログ形式を有する前記サンプリングされた信号を調整することと
を繰り返すステップと
を有する方法。
【０１１０】
（付記２）
付記１に記載の方法であって、
前記１つ以上のサンプリングされた信号のそれぞれについて、
アナログ形式を有する前記フィードバック信号を用いて、前記サンプリングされた信号に関連する誤差を判断することと、
前記誤差に従って、アナログ形式を有する前記サンプリングされた信号を調整することと
を繰り返すステップを更に有する方法。
【０１１１】
（付記３）
付記１に記載の方法であって、
前記１つ以上のサンプリングされた信号のそれぞれについて、
前記サンプリングされた信号をサブサンプリングすることと、
前記サブサンプリングされた信号を用いて、前記サンプリングされた信号に関連する誤差を判断することと
を繰り返すステップを更に有する方法。
【０１１２】
（付記４）
付記１に記載の方法であって、
１つ以上のサンプリング時において前記信号をサンプリングすることが、１つ以上の検出回路で前記信号をサンプリングすることからなり、
各検出回路が異なるサンプリング時においてサンプリングを行う方法。
【０１１３】
（付記５）
付記１に記載の方法であって、
前記サンプリングされた信号に関連する相関を判断することが、
複数のフィルタ係数に従って、アナログ形式を有する前記１つ以上のフィードバック信号を調整し、各フィルタ係数は複数のフィルタ係数のうちの１つに関連し、
前記調整された１つ以上のフィードバック信号に従って、前記サンプリングされた信号に関連する相関を判断することからなる方法。
【０１１４】
（付記６）
付記１に記載の方法であって、
前記サンプリングされた信号に関連する相関を判断することが、
複数のフィルタ係数に従って、アナログ形式を有する前記１つ以上のフィードバック信号を調整し、
前記調整された１つ以上のフィードバック信号を加算し、
前記加算された１つ以上のフィードバック信号に従って、前記サンプリングされた信号に関連する相関を判断することからなる方法。
【０１１５】
（付記７）
付記１に記載の方法であって、
アナログ形式を有する前記サンプリングされた信号を調整することが、
アナログ形式を有する前記サンプリングされた信号から前記サンプリングされた信号に関連する相関を差し引くことからなる方法。
【０１１６】
（付記８）
受信信号を処理する受信機であって、
アナログ形式を有する信号を受信可能な入力と、
１つ以上のサンプリング時において前記信号をサンプリングし、アナログ形式を有する１つ以上のサンプリングされた信号を生成することが可能な１つ以上のサンプリングスイッチと、
１つ以上の検出回路であって、各検出回路が、前記１つ以上のサンプリングされた信号の１つについて、
前記サンプリングされた信号からデジタル形式を有するフィードバック信号を生成することと、
前記フィードバック信号をデジタル形式からアナログ形式に変換することと、
前記１つ以上のサンプリングされた信号から生成された１つ以上のフィードバック信号に従って、前記サンプリングされた信号に関連する相関を判断することと、
前記受信信号を処理するために、前記サンプリングされた信号に関連する相関に従って、アナログ形式を有する前記サンプリングされた信号を調整することと
を繰り返すことが可能な１つ以上の検出回路と、
を有する受信機。
【０１１７】
（付記９）
付記８に記載の受信機であって、
各検出回路が、前記１つ以上のサンプリングされた信号の１つについて、
アナログ形式を有する前記フィードバック信号を用いて、前記サンプリングされた信号に関連する誤差を判断することと、
前記誤差に従って、アナログ形式を有する前記サンプリングされた信号を調整することと
を繰り返すことが更に可能な受信機。
【０１１８】
（付記１０）
付記８に記載の受信機であって、
各検出回路が、前記１つ以上のサンプリングされた信号の１つについて、
前記サンプリングされた信号をサブサンプリングすることと、
前記サブサンプリングされた信号を用いて、前記サンプリングされた信号に関連する誤差を判断することと
を繰り返すことが更に可能な受信機。
【０１１９】
（付記１１）
付記８に記載の受信機であって、
各検出回路が、異なるサンプリング時においてサンプリングを行う受信機。
【０１２０】
（付記１２）
付記８に記載の受信機であって、
複数のフィルタ係数に従って、アナログ形式を有する前記１つ以上のフィードバック信号を調整し、各フィルタ係数は複数のフィルタ係数のうちの１つに関連し、
前記調整された１つ以上のフィードバック信号に従って、前記サンプリングされた信号に関連する相関を判断することにより、
前記検出回路が前記サンプリングされた信号に関連する相関を判断可能な受信機。
【０１２１】
（付記１３）
付記８に記載の受信機であって、
複数のフィルタ係数に従って、アナログ形式を有する前記１つ以上のフィードバック信号を調整し、
前記調整された１つ以上のフィードバック信号を加算し、
前記加算された１つ以上のフィードバック信号に従って、前記サンプリングされた信号に関連する相関を判断することにより、
前記検出回路が前記サンプリングされた信号に関連する相関を判断可能な受信機。
【０１２２】
（付記１４）
付記８に記載の受信機であって、
アナログ形式を有する前記サンプリングされた信号から前記サンプリングされた信号に関連する相関を差し引くことにより、
前記検出回路がアナログ形式を有する前記サンプリングされた信号を調整可能な受信機。
【０１２３】
（付記１５）
受信信号を処理するロジックであって、
前記ロジックは媒体に具体化され、
アナログ形式を有する信号を受信可能であり、
１つ以上のサンプリング時において前記信号をサンプリングし、アナログ形式を有する１つ以上のサンプリングされた信号を生成することが可能であり、
前記１つ以上のサンプリングされた信号のそれぞれについて、
前記サンプリングされた信号からデジタル形式を有するフィードバック信号を生成ることと、
前記フィードバック信号をデジタル形式からアナログ形式に変換することと、
前記１つ以上のサンプリングされた信号から生成された１つ以上のフィードバック信号に従って、前記サンプリングされた信号に関連する相関を判断することと、
前記受信信号を処理するために、前記サンプリングされた信号に関連する相関に従って、アナログ形式を有する前記サンプリングされた信号を調整することと
を繰り返すことが可能なロジック。
【０１２４】
（付記１６）
付記１５に記載のロジックであって、
前記１つ以上のサンプリングされた信号のそれぞれについて、
アナログ形式を有する前記フィードバック信号を用いて、前記サンプリングされた信号に関連する誤差を判断することと、
前記誤差に従って、アナログ形式を有する前記サンプリングされた信号を調整することと
を繰り返すことが更に可能なロジック。
【０１２５】
（付記１７）
付記１５に記載のロジックであって、
前記１つ以上のサンプリングされた信号のそれぞれについて、
前記サンプリングされた信号をサブサンプリングすることと、
前記サブサンプリングされた信号を用いて、前記サンプリングされた信号に関連する誤差を判断することと
を繰り返すことが更に可能なロジック。
【０１２６】
（付記１８）
付記１５に記載のロジックであって、
１つ以上の検出回路で前記信号をサンプリングすることによって、１つ以上のサンプリング時において前記信号をサンプリング可能であり、
各検出回路が異なるサンプリング時においてサンプリングを行うロジック。
【０１２７】
（付記１９）
付記１５に記載のロジックであって、
複数のフィルタ係数に従って、アナログ形式を有する前記１つ以上のフィードバック信号を調整し、各フィルタ係数は複数のフィルタ係数のうちの１つに関連し、
前記調整された１つ以上のフィードバック信号に従って、前記サンプリングされた信号に関連する相関を判断することにより、
前記サンプリングされた信号に関連する相関を判断可能なロジック。
【０１２８】
（付記２０）
付記１５に記載のロジックであって、
複数のフィルタ係数に従って、アナログ形式を有する前記１つ以上のフィードバック信号を調整し、
前記調整された１つ以上のフィードバック信号を加算し、
前記加算された１つ以上のフィードバック信号に従って、前記サンプリングされた信号に関連する相関を判断することにより、
前記サンプリングされた信号に関連する相関を判断可能なロジック。
【０１２９】
（付記２１）
付記１５に記載のロジックであって、
アナログ形式を有する前記サンプリングされた信号から前記サンプリングされた信号に関連する相関を差し引くことにより、
アナログ形式を有する前記サンプリングされた信号を調整可能なロジック。
【０１３０】
（付記２２）
受信信号を処理するシステムであって、
アナログ形式を有する信号を受信する手段と、
１つ以上のサンプリング時において前記信号をサンプリングし、アナログ形式を有する１つ以上のサンプリングされた信号を生成する手段と、
前記サンプリングされた信号のそれぞれについて、
前記サンプリングされた信号からデジタル形式を有するフィードバック信号を生成することと、
前記フィードバック信号をデジタル形式からアナログ形式に変換することと、
前記１つ以上のサンプリングされた信号から生成された１つ以上のフィードバック信号に従って、前記サンプリングされた信号に関連する相関を判断することと、
前記受信信号を処理するために、前記サンプリングされた信号に関連する相関に従って、アナログ形式を有する前記サンプリングされた信号を調整することと
を繰り返す手段と
を有するシステム。
【０１３１】
（付記２３）
受信信号を処理する方法であって、
アナログ形式を有する信号を受信するステップと、
１つ以上のサンプリング時において前記信号をサンプリングし、アナログ形式を有する１つ以上のサンプリングされた信号を生成するステップと、
１つ以上の検出回路で前記信号をサンプリングし、各検出回路は異なるサンプリング時においてサンプリングを行うステップと、
前記１つ以上のサンプリングされた信号のそれぞれについて、
前記サンプリングされた信号からデジタル形式を有するフィードバック信号を生成し、前記フィードバック信号をデジタル形式からアナログ形式に変換することと、
複数のフィルタ係数に従って、アナログ形式を有する前記１つ以上のフィードバック信号を調整し、各フィルタ係数は複数のフィルタ係数のうちの１つに関連し、
前記調整された１つ以上のフィードバック信号を加算し、
前記加算された１つ以上のフィードバック信号に従って、前記サンプリングされた信号に関連する相関を判断することにより、
前記１つ以上のサンプリングされた信号から生成された１つ以上のフィードバック信号に従って、前記サンプリングされた信号に関連する相関を判断することと、
アナログ形式を有する前記サンプリングされた信号から前記サンプリングされた信号に関連する相関を差し引くことにより、前記サンプリングされた信号に関連する相関に従って、アナログ形式を有する前記サンプリングされた信号を調整することと、
前記サンプリングされた信号をサブサンプリングし、前記サブサンプリングされた信号を用いて、前記サンプリングされた信号に関連する誤差を判断し、前記受信信号を処理するために、前記誤差に従ってアナログ形式を有する前記サンプリングされた信号を調整することと
を繰り返すステップと
を有する方法。
【図面の簡単な説明】
【０１３２】
【図１】受信信号を処理する受信機を含むネットワークの一実施例を示したブロック図である。
【図２】受信信号を処理する検出回路を有する検出器の一実施例のブロック図である。
【図３Ａ】受信信号を処理する複数の検出回路を有する検出器の他の実施例のブロック図である。
【図３Ｂ】受信信号を処理する複数の検出回路を有する検出器の他の実施例のブロック図である。
【図３Ｃ】受信信号を処理する複数の検出回路を有する検出器の他の実施例のブロック図である。
【図４】受信信号を処理する方法の一実施例を示したフローチャートである。
【符号の説明】
【０１３３】
１０  ネットワーク
１１  ネットワークエレメント
１２  送信機
１３  受信機
１４，７６  チャネル
１５，２６，８０  判定帰還型フィルタ
１６，２７，１０２  誤差監視装置
１７  フィルタ
１８，３４  アナログ・デジタル変換器（ＡＤＣ）
２０，６０  検出器
２１，７０  検出回路
２２，７２  アナログ
２３，６１  入力
２４，７４  デジタル
２８，３０，４４，８２，１００，１１２  加算ノード
３２，８４，９０，１０４，１１０  サンプリングスイッチ
３６  遅延装置
４０，５０，９４，１０６  デジタル・アナログ変換器（ＤＡＣ）
４２，５２，９６，１０８  係数回路
８１  入力サンプリングスイッチ
８６  センス増幅器（Ｓ／Ａ）
８８  ラッチ
【図１】
2004242327.tif 000059
【図２】
2004242327.tif 000060
【図３Ａ】
2004242327.tif 000061
【図３Ｂ】
2004242327.tif 000062
【図３Ｃ】
2004242327.tif 000063
【図４】
2004242327.tif 000064